(57)【要約】【課題】漏電遮断器内部に異常温度を検知した場合に電源を遮断するようにした漏電遮断器を提供する。【解決手段】電源ラインＬ１、Ｌ２の漏電を検出する零相変流器２と、この零相変流器２に誘起された電圧を検出する漏電検出回路５と、この漏電検出回路５からの検出出力により作動するスイッチング回路６と、このスイッチング回路６からの出力により作動して電路の遮断を行うリレー回路７とを備えた漏電遮断器１において、前記スイッチング回路６に温度ヒューズ１１、１２を有する過熱防止回路９を設け、温度ヒューズ１１、１２が溶断したときに前記リレー回路７が作動するようにした。【選択図】      図１
2004281121.tif 000002
【特許請求の範囲】
【請求項１】
電源ラインの漏電を検出する零相変流器と、この零相変流器に誘起された電圧を検出する漏電検出回路と、この漏電検出回路からの検出出力により作動するスイッチング回路と、このスイッチング回路からの出力により作動して電路の遮断を行うリレー回路とを備えた漏電遮断器において、
前記スイッチング回路に温度ヒューズを有する過熱防止回路を設け、温度ヒューズが溶断したときに前記リレー回路が作動するようにしたことを特徴とする漏電遮断器。
【請求項２】
前記過熱防止回路は温度ヒューズを複数設けたことを特徴とする請求項１に記載の漏電遮断器。
【請求項３】
電源に接続する電源接続端子と負荷に接続する負荷接続端子とを備え、これら接続端子の近傍に前記温度ヒューズをそれぞれ配置したことを特徴とする請求項２に記載の漏電遮断器。
【請求項４】
前記過熱防止回路には直列につながるヒューズ接続用端子を設け、このヒューズ接続用端子に新たな温度ヒューズが接続できることを特徴とする請求項１〜３のいずれかに記載の漏電遮断器。
【請求項５】
前記ヒューズ接続用端子に温度ヒューズを接続しないときには短絡板を接続することを特徴とする請求項４に記載の漏電遮断器。
【発明の詳細な説明】
【０００１】
【発明の属する技術分野】
本発明は異常温度を検知した場合に作動する漏電遮断器に関する。
【０００２】
【従来の技術】
従来、漏電遮断器５１は、図２に示すように、電源と負荷とを接続する電源ラインＬ３、Ｌ４にリレー接点５３ｓ、５３ｔを接続するとともに、電源ラインＬ３、Ｌ４の漏電を検出するための零相変流器５４を設け、この零相変流器５４に誘起された電圧を検出する漏電検出回路５５と、この漏電検出回路５５からの検出出力により作動するスイッチング回路５６と、このスイッチング回路５６からの出力によりリレーを作動させるリレー回路５７とを備えている。そして、電源ラインＬ３、Ｌ４の往きと帰りの電流値の差を比較し、その差が所定以上の場合には、スイッチング回路５６が作動しリレーコイル５３ｃに通電されリレー接点５３ｓ、５３ｔが開き、電路の遮断を行うものである（例えば、特許文献１参照）。
【０００３】
【特許文献１】
特開平５−２８９０１号公報。
【０００４】
【発明が解決しようとする課題】
ところで、前述したような漏電遮断器５１では電源に接続する電源接続端子５８と負荷に接続する負荷接続端子５９とを備えたものがあり、これら接続端子５８、５９には電源ケーブル６１、６１、６２、６２が接続され取付ねじにて固定される。これら取付ねじは、人為的ミスや経年変化により緩むことがあり、緩んだ場合にその状態で通電が行われ続けると（取付ねじが緩んでいても漏電遮断器１が作動しないことがある）、接続端子部分５８、５９に発熱、発煙や発火のおそれが出てくる。
【０００５】
本発明は、上述した事情に鑑みてなされたものであり、漏電遮断器内部に異常温度を検知した場合に電源を遮断するようにした漏電遮断器を提供することを目的とする。
【０００６】
【課題を解決するための手段】
上記目的を達成するために、請求項１に記載の発明は、電源ラインの漏電を検出する零相変流器と、この零相変流器に誘起された電圧を検出する漏電検出回路と、この漏電検出回路からの検出出力により作動するスイッチング回路と、このスイッチング回路からの出力により作動して電路の遮断を行うリレー回路とを備えた漏電遮断器において、前記スイッチング回路に温度ヒューズを有する過熱防止回路を設け、温度ヒューズが溶断したときに前記リレー回路が作動するようにしたことを特徴とする。
【０００７】
請求項２に記載の発明は、請求項１に記載の漏電遮断器において、前記過熱防止回路は温度ヒューズを複数設けたことを特徴とする。
【０００８】
請求項３に記載の発明は、請求項２に記載の漏電遮断器において、電源に接続する電源接続端子と負荷に接続する負荷接続端子とを備え、これら接続端子の近傍に前記温度ヒューズをそれぞれ配置したことを特徴とする。
【０００９】
請求項４に記載の発明は、請求項１〜３のいずれかに記載の漏電遮断器において、前記過熱防止回路には直列につながるヒューズ接続用端子を設け、このヒューズ接続用端子に新たな温度ヒューズが接続できることを特徴とする。
【００１０】
請求項５に記載の発明は、請求項４に記載の漏電遮断器において、前記ヒューズ接続用端子に温度ヒューズを接続しないときには短絡板を接続することを特徴とする。
【００１１】
【発明の実施の形態】
図１は本発明の一実施形態における漏電遮断器の構成回路図である。
【００１２】
図１において、本漏電遮断器１は、電源と負荷とを中継する電源ラインＬ１、Ｌ２と、漏電したときに電源ラインＬ１、Ｌ２の電路を遮断するための零相変流器２及び制御回路３を備えている。
【００１３】
電源ラインＬ１、Ｌ２の一端は、ケーブルにて電源に接続され、その接続部には取付ねじを有する電源接続端子ａ、ｂが設けられ、他端は負荷に接続され、その接続部には取付ねじを有する負荷接続端子ｃ、ｄが設けられる。
【００１４】
前記零相変流器２は電源ラインＬ１、Ｌ２に介挿されており、電源ラインＬ１、Ｌ２に漏電が生じた場合にその漏電電流を検出して所定の電圧を誘起するものである。
【００１５】
前記制御回路３は漏電検出回路５、スイッチング回路６及びリレー回路７が順次接続されて構成される。漏電検出回路５には前記零相変流器２が接続され、前記したように零相変流器２により誘起された電圧が漏電検出回路５に入力されると、その検出出力をスイッチング回路６に出力し、さらに、スイッチング回路６はリレー回路７に駆動信号を出力する。リレー回路７にはリレーの電磁コイル８ｃが設けられており、スイッチング回路６からの駆動信号により電磁コイル８ｃに通電し励磁するようになっている。
【００１６】
また、電源ラインＬ１、Ｌ２にはリレーの接点８ｓ、８ｔが介設されており、正常状態で図１に示すように閉成されているが、漏電が発生した場合には開成され電路が遮断されるようになっている。
【００１７】
また、スイッチング回路６には過熱防止回路９が接続されている。この回路には２つの温度ヒューズ１１、１２と短絡板１３にて短絡されたヒューズ取付用端子１４とが直列に設けられている。前記２つの温度ヒューズ１１、１２は、周辺の部品が発煙や発火を起こす温度以下に設定されたものが用いられ、前記一方のヒューズ１１は、電源接続端子ａ、ｂの近傍に配置され、他方のヒューズ１２は負荷接続端子ｃ、ｄの近傍に配置される。これらの箇所で温度上昇があり、温度ヒューズ１１、１２が可溶温度に達すると、温度ヒューズ１１、１２が溶断するようになっている。また、ヒューズ取付用端子１４には、後から温度ヒューズ１５を取り付けることができる。短絡板１３を外した後、後付けの温度ヒューズ１５のリード線を接続し、後付けのヒューズ本体を、例えば、負荷（電気機器）の過熱するおそれのある箇所に配設することにより、その箇所での過熱防止をするものである。
【００１８】
この過熱防止回路９はいずれかの温度ヒューズ１１、１２、１５が溶断し回路９が開放されると、スイッチング回路６がリレー回路７に駆動信号を出力しリレーの電磁コイル８ｃに通電しコイル８ｃを励磁するようになっている。
【００１９】
また、前記スイッチング回路６にはテスト回路１７と復帰回路１８とが接続されている。テスト回路１７は漏電状態をつくり、この回路１７に設けられたテストボタン２１を押すことにより、往きと帰りの電流値に所定以上の差を発生させ、リレー回路７を作動させて電源ラインＬ３、Ｌ４の電路を遮断するものである。復帰回路１８はリレーの作動を解除して電路を復帰するものであり、復帰ボタン２２を押すことにより行うことができる。
【００２０】
次に、漏電を検出したときの漏電遮断器の動作について説明する。
【００２１】
電源ラインＬ１、Ｌ２に漏電が発生すると零相変流器２が漏電電流を検出し、これにより誘起された電圧を漏電検出回路５に出力する。漏電検出回路５は零相変流器２からの出力を受けて検出出力をスイッチング回路６に出力する。スイッチング回路６はリレー回路７に駆動信号を出力し、この駆動信号によりリレーの電磁コイル８ｃに通電され、電源ラインＬ１、Ｌ２のリレーの接点８ｓ、８ｔが開成され電路が遮断される。
【００２２】
次に、温度ヒューズの配置箇所が過熱されたときの漏電遮断器の動作について説明する。
【００２３】
例えば、電源接続端子ａ、ｂまたは負荷接続端子ｃ、ｄが緩んでアークが発生して接続端子ａ、ｂまたはｃ、ｄ付近が過熱され、温度ヒューズ１１または１２が可溶温度に達すると、ヒューズ１１または１２が溶断する。過熱防止回路９が開放しスイッチング回路６が作動しリレー回路７へ駆動信号を出力する。この駆動信号によりリレーの電磁コイル８ｃが励磁され、電源ラインＬ１、Ｌ２のリレーの接点８ｓ、８ｔが開成され電路が遮断される。これによりアークが停止し接続端子付近の温度上昇が抑えられ、接続端子付近での発煙や発火を防止することができる。
【００２４】
以上、一実施形態に基づいて本発明を説明したが、本発明は上記の実施形態に限定されるものではなく、要旨を逸脱しない範囲内で適宜変更が可能である。
【００２５】
本実施形態では、漏電遮断器１が電源と負荷（電気機器）とに介設されているが、漏電遮断器は電気機器に内蔵されたものであっても良く、特に、電気部品を有しガスや石油燃料を使用する暖房機器や、食器洗浄機、深夜電力温水器等の水を使用する電気機器に適用すると良い。
【００２６】
【発明の効果】
以上説明したように、本発明の漏電遮断器は、温度ヒューズを有し、この温度ヒューズが溶断したときに電源ラインの電路を遮断するようにしているので、漏電のみならず、電源ラインの接続部分等、過熱しやすい箇所の発煙・発火を防止し火災を防止する効果を奏する。
【図面の簡単な説明】
【図１】本発明の一実施形態における漏電遮断器の回路構成図である。
【図２】従来の漏電遮断器の回路構成図である。
【符号の説明】
１  漏電遮断器
２  零相変流器
３  制御回路
５  漏電検出回路
６  スイッチング回路
７  リレー回路
８ｃ  電磁コイル
８ｓ、８ｔ  リレー接点
９  熱防止回路
１１、１２、１５  温度ヒューズ
１４  ヒューズ取付用端子
Ｌ１、Ｌ２  電源ライン
ａ、ｂ  電源接続端子
ｃ、ｄ  負荷接続端子
【図１】
2004281121.tif 000003
【図２】
2004281121.tif 000004